(57)【要約】【課題】電源電圧の変動に強い電源制御装置を提供する。【解決手段】電源制御装置（６０）は、フォトカプラ（８ａ）の温度を計測する温度計測部（１２）と、交流電源（１）の出力電圧が変換されたパルス信号の、温度変化に対する変化特性、および計測された温度に基づき、交流電源の出力電圧値を推定する推定部（２１）と、推定された出力電圧値に応じて交流電源の短絡期間を設定する短絡期間設定部（２２）と、を備える。【選択図】図１
2019176703.tif 000002
【特許請求の範囲】
【請求項１】
電源装置を制御する制御回路を備える電源制御装置であって、
上記制御回路を交流電源から絶縁する絶縁部の温度を計測する温度計測部と、
（ｉ）上記交流電源の出力電圧が変換されたパルス信号の、温度変化に対する変化特性、および（ｉｉ）上記温度計測部で計測された温度に基づき、上記交流電源の出力電圧値を推定する推定部と、
上記推定部により推定された上記出力電圧値の高低に応じて、上記交流電源の短絡期間を設定する短絡期間設定部と、を備えていることを特徴とする電源制御装置。
【請求項２】
上記温度計測部を、高温となる部品と離隔させて配置することを特徴とする請求項１に記載の電源制御装置。
【請求項３】
空気調和機に搭載され、
上記空気調和機の室外ファンが動作中か否かを検出する検出部と、
上記検出部の検出結果に基づき、上記温度計測部による温度計測の実行要否を判断する判断部とを備えていることを特徴とする請求項２に記載の電源制御装置。
【請求項４】
請求項１から３のいずれか１項に記載の電源制御装置を備えていることを特徴とする電源装置。
【請求項５】
請求項１から３のいずれか１項に記載の電源制御装置を備えていることを特徴とする空気調和機。
【請求項６】
電源装置を制御する制御回路を備える電源制御装置における電源制御方法であって、
上記制御回路を交流電源から絶縁する絶縁部の温度を計測する温度計測工程と、
（ｉ）上記交流電源の出力電圧が変換されたパルス信号の、温度変化に対する変化特性、および（ｉｉ）上記温度計測工程で計測された温度に基づき、上記交流電源の出力電圧値を推定する推定工程と、
上記推定工程で推定された上記出力電圧値の高低に応じて、上記交流電源の短絡期間を設定する短絡期間設定工程と、を備えていることを特徴とする電源制御方法。
【発明の詳細な説明】
【技術分野】
【０００１】
本発明は、交流電源からの交流電圧を直流電圧に変換して負荷に供給する電源装置を制御する電源制御装置、当該電源制御装置を備える電源装置、当該電源装置を備える空気調和機、および電源制御方法に関する。
【背景技術】
【０００２】
特許文献１には、交流電源からの交流電圧を直流電圧に変換して負荷へ供給する直流電源装置として、交流電源を一定期間短絡することで、力率の改善あるいは高調波成分の抑制を図る電源装置が開示されている。当該電源装置は、交流電源電圧が所定の位相検知基準電圧に達した時の交流電源電圧の位相を検出して、検出された位相に応じたパルス幅を有するパルス信号を出力する電圧位相検出回路を備える。電源装置の制御部は、電圧位相検出回路からのパルス信号に基づいて交流電源電圧の変動を推定し、推定結果に基づいて交流電源を短絡させる。
【先行技術文献】
【特許文献】
【０００３】
【特許文献１】特許第５７３４６２６号（２０１５年６月１７日発行）
【発明の概要】
【発明が解決しようとする課題】
【０００４】
特許文献１に記載されている電源装置においては、交流電源からの交流電圧が制御部に入力されないよう、交流電源と制御部とを電気的に絶縁するためのフォトカプラが電圧位相検出回路内に設けられている。しかしながら、フォトカプラの特性は温度に依存して変化する。
【０００５】
例えば電源装置が空気調和機の室外機に用いられる場合、当該室外機の基板において、高温となる部品は１００℃近くまで温度が上昇する。この場合、フォトカプラを含む、基板に設けられた他の部品および基板周囲の雰囲気温度も高温となる部品の影響を受けて上昇する。したがって、温度の上昇に起因してフォトカプラの特性が変化し、交流電源電圧の推定値が実際の値から離れたものになる虞がある。
【０００６】
本発明の一態様は、電源電圧値の変動に強い電源制御装置などを提供することを目的とする。
【課題を解決するための手段】
【０００７】
上記の課題を解決するために、本発明の一態様に係る電源制御装置は、電源装置を制御する制御回路を備える電源制御装置であって、上記制御回路を交流電源から絶縁する絶縁部の温度を計測する温度計測部と、（ｉ）上記交流電源の出力電圧が変換されたパルス信号の、温度変化に対する変化特性、および（ｉｉ）上記温度計測部で計測された温度に基づき、上記交流電源の出力電圧値を推定する推定部と、上記推定部により推定された上記出力電圧値の高低に応じて、上記交流電源の短絡期間を設定する短絡期間設定部と、を備えている。
【０００８】
また、本発明の一態様に係る電源制御方法は、電源装置を制御する制御回路を備える電源制御装置における電源制御方法であって、上記制御回路を交流電源から絶縁する絶縁部の温度を計測する温度計測工程と、（ｉ）上記交流電源の出力電圧が変換されたパルス信号の、温度変化に対する変化特性、および（ｉｉ）上記温度計測工程で計測された温度に基づき、上記交流電源の出力電圧値を推定する推定工程と、上記推定工程で推定された上記出力電圧値の高低に応じて、上記交流電源の短絡期間を設定する短絡期間設定工程と、を備えている。
【発明の効果】
【０００９】
本発明の一態様によれば、電源電圧値の変動に強い電源制御装置などを提供できる。
【図面の簡単な説明】
【００１０】
【図１】実施形態１に係る電源装置の構成を示す図である。
【図２】電圧位相検出回路の構成の一例を示す回路図である。
【図３】温度計測部の構成の一例を示す図である。
【図４】交流電源電圧と、電圧位相検出回路から出力されるパルス信号との関係を示した概念図である。
【図５】フォトカプラの、温度とクロック幅との関係について示すグラフである。
【図６】電源電圧とクロック幅との関係を示すグラフである。
【図７】電源制御装置における電源制御方法を示すフローチャートである。
【図８】実施形態２に係る電源装置の構成を示す図である。
【発明を実施するための形態】
【００１１】
〔実施形態１〕
以下、本発明の一実施形態について、詳細に説明する。
【００１２】
（電源装置５０の構成）
図１は、電源装置５０の構成を示す図である。図１に示すように、電源装置５０は、交流電源１からの交流電圧を直流電圧に変換して、インバータ回路１０に供給する。交流電源１は、例えば商用電源であってよい。インバータ回路１０は、電源装置５０からの直流電圧を交流電圧、例えば三相交流電圧に変換する。図１に示す例では、インバータ回路１０は、空気調和機１００に搭載され、空気調和機１００が備える室外ファン１１０などに三相交流電圧を供給する。
【００１３】
電源装置５０は、交流電源１の一方の出力端にその一端が接続されるリアクタ２と、リアクタ２の他端および交流電源１の他方の出力端に接続されたダイオードブリッジ３と、電解コンデンサ４、５と、電源制御装置６０とを備える。図１に示す例では、電源装置５０は、空気調和機１００に搭載されている。なお、電源装置５０は、空気調和機以外の電気機器に搭載されていてもよい。
【００１４】
ダイオードブリッジ３は交流電源１からの交流電圧（以下、「出力電圧」、「交流電源電圧」あるいは単に「電源電圧」と呼ぶ場合もある）を直流電圧へと整流する。電解コンデンサ４，５は、ダイオードブリッジ３から出力される直流電圧を平滑化する。ダイオードブリッジ３および電解コンデンサ４，５は、交流電源１からの交流電源電圧を直流電圧に変換するコンバータを構成する。
【００１５】
コンバータから出力された直流電圧は、インバータ回路１０に供給される。インバータ回路１０は直流電圧を三相交流電圧へと変換する。
【００１６】
（電源制御装置６０の構成）
電源制御装置６０は、ダイオードブリッジ６と、短絡素子７と、電圧位相検出回路８と、直流電圧検出回路９と、制御回路１１と、温度計測部１２と、を備える。ダイオードブリッジ６の一方の入力端は、リアクタ２を介して交流電源１の一方の出力端に接続される。ダイオードブリッジ６の他方の入力端は、交流電源１の他方の出力端に接続される。
【００１７】
短絡素子７は、たとえばバイポーラトランジスタ、ＩＧＢＴ、ＭＯＳＦＥＴ等のスイッチ素子であり、ダイオードブリッジ６の一方および他方の出力端に接続される。短絡素子７は制御回路１１によりオン・オフされる。短絡素子７がオンすることによって、ダイオードブリッジ６の２つの出力端が短絡される。これにより、リアクタ２およびダイオードブリッジ６を介して交流電源１の一方および他方の出力端が短絡されて、電源装置５０の力率を改善することが可能になる。
【００１８】
電圧位相検出回路８は、交流電源電圧が所定の位相検知基準電圧に達した時の交流電源電圧の位相を検出して、その検出された位相に応じたパルス信号を出力する。直流電圧検出回路９は、コンバータから出力される直流電圧を検出する。
【００１９】
図２は、電圧位相検出回路８の構成の一例を示す回路図である。図２に示すように、電圧位相検出回路８は、制御回路１１を交流電源１から絶縁するフォトカプラ８ａ（絶縁部）を含んで構成される。
【００２０】
温度計測部１２は、フォトカプラ８ａの温度を計測する。温度計測部１２は、必ずしもフォトカプラ８ａ自体の温度を直接計測する必要はなく、例えばフォトカプラ８ａの近傍の温度を計測することによって、フォトカプラ８ａの温度を間接的に計測してもよい。
【００２１】
温度計測部１２は、高温となる部品と離隔させて配置されることが好ましい。温度計測部１２と高温となる部品との距離は、例えば高温となる部品が空気調和機１００のＩＰＭ（Intelligent Power Module）である場合、１０ｃｍとしてよい。ただし、上記の距離は、高温となる部品の種類および／または電源装置５０が搭載される電気機器の仕様に合わせて適宜設定されればよい。
【００２２】
温度計測部１２が高温となる部品から離隔させて配置されることで、特にフォトカプラ８ａの温度を間接的に計測する場合において、フォトカプラ８ａの位置と温度計測部１２の位置との差に起因する温度差が低減される。したがって、温度計測部１２によりフォトカプラ８ａの温度をより正確に計測することができる。
【００２３】
図３は、温度計測部１２の構成の一例を示す図である。図３に示す例では、温度計測部１２は、チップタイプのサーミスタ１２ａを含んで構成される。温度計測部１２をチップタイプのサーミスタ１２ａとすることで、温度計測部１２を安価に構成できる。
【００２４】
なお、図１においては、紙面におけるスペースの都合上、温度計測部１２のブロックと電圧位相検出回路８のブロックとが互いに離隔して示されている。しかし、実際には温度計測部１２は、フォトカプラ８ａの温度を計測できるよう、電圧位相検出回路８の近傍に位置する。
【００２５】
電源装置５０は、さらに、記憶部３０を備える。記憶部３０は、制御回路１１による制御に必要な情報を記憶する記憶媒体である。なお、電源装置５０は、必ずしも記憶部３０を備える必要はなく、制御回路１１による制御に必要な情報を記憶した記憶装置と無線または有線により通信可能に接続されていてもよい。
【００２６】
（制御回路１１の構成）
制御回路１１は、たとえばマイクロコンピュータ（マイコン）によって実現される。制御回路１１は、推定部２１と、短絡期間設定部２２と、短絡素子制御部２３と、インバータ制御部２４と、を含む。制御回路１１は、電源装置５０が出力する出力電圧の大きさを制御する。
【００２７】
推定部２１は、（ｉ）交流電源１の出力電圧が変換されたパルス信号の、フォトカプラ８ａの温度変化に対する変化特性、および（ｉｉ）温度計測部１２で計測された温度に基づき、交流電源１の出力電圧値を推定する。推定部２１におけるより具体的な処理については後述する。
【００２８】
短絡期間設定部２２は、推定部２１が推定した電源電圧に基づいて、交流電源１の短絡期間を調整する。具体的には、短絡期間設定部２２は、まず、直流電圧検出回路９によって検出される直流電圧の目標値である目標電圧を設定する。
【００２９】
より具体的には、推定部２１が推定した電源電圧が標準電圧（基準値）よりも大きい場合には、短絡期間設定部２２は、目標電圧を基準目標電圧よりも高くする。逆に、推定部２１が推定した電源電圧が基準値よりも小さい場合には、目標電圧設定部４１は、目標電圧を基準目標電圧よりも低くする。
【００３０】
基準目標電圧とは、電源電圧が基準値である場合における目標電圧である。基準目標電圧は、実験的に決定される値である。基準目標電圧は、電源電圧が標準電圧に等しく、かつ、無負荷である場合の直流電圧の値よりも大きい場合もあるし、小さい場合もある。
【００３１】
また、推定部２１が推定した電源電圧が基準値よりも大きいまたは小さい場合における、目標電圧の変化量については、電源装置５０の製造者により適宜設定されてよい。また、当該変化量は、推定部２１が推定した電源電圧と基準値との差に依存してもしなくてもよい。
【００３２】
さらに、短絡期間設定部２２は、自身が設定した目標電圧、および直流電圧検出回路９が検出した直流電圧に応じて短絡期間を設定する。具体的には、短絡期間設定部２２は、直流電圧検出回路９が検出した直流電圧よりも目標電圧が小さい場合には、短絡期間を現在設定された期間よりも短くする。逆に、直流電圧検出回路９によって検出された直流電圧よりも目標電圧が大きい場合には、短絡期間設定部２２は、短絡期間を現在設定された期間よりも長くする。短絡期間の初期値は例えば０としてよい。
【００３３】
なお、短絡期間が急激に変化することを防止するために、ある時間ごとに一定値ずつ短絡期間を変化させることが好ましい。また、短絡期間設定部２２による短絡期間の変化量を決定するために、例えば検出された直流電圧および目標電圧の差分と、短絡期間の変化量との関係を表わすテーブル等を記憶部３０が記憶していてもよい。
【００３４】
短絡素子制御部２３は、短絡素子７のオン・オフを制御する。短絡素子７のオン期間すなわち交流電源１の短絡期間は、短絡期間設定部２２によって調整される。たとえば短絡素子制御部２３は、電源電圧の毎周期において、短絡素子７を所定の時間、短絡させる。また、短絡素子制御部２３は、電圧位相検出回路８からのパルス信号のエッジを検出することにより短絡素子７による交流電源１の短絡を開始するタイミングを決定する。
【００３５】
インバータ制御部２４は、インバータ回路１０をパルス幅変調（ＰＷＭ）制御する。これによりインバータ回路１０は直流電圧を三相交流電圧へと変換する。なお、その際に、直流電圧検出回路９からの出力に基づいてパルス幅を調整することもある。
【００３６】
（出力電圧値の推定方法）
推定部２１による出力電圧値の推定方法について、以下に説明する。
【００３７】
図４は、交流電源電圧と、電圧位相検出回路から出力されるパルス信号との関係を示した概念図である。図４において、実線で示したグラフは、電源電圧が標準的な値である場合のグラフである。また、点線で示したグラフは、電源電圧が標準よりも高い値である場合のグラフである。また、一点鎖線で示したグラフは、電源電圧が標準よりも低い値である場合のグラフである。
【００３８】
パルス信号は、交流電源電圧の電圧位相を検知するための位相検知基準電圧よりも交流電源電圧が高くなった場合にＨｉ出力となる。また、パルス信号は、位相検知基準電圧よりも交流電源電圧が低くなった場合にＬｏｗ出力となる。位相検知基準電圧は、０Ｖとは異なる所定の電圧に設定される。
【００３９】
交流電源電圧が０Ｖを通過してから電圧位相検出のための位相検知基準電圧に達するまでの期間をＴｉ１とする。交流電源電圧が変動しても、交流電源電圧の電源周波数は一定に保たれる。すなわち、交流電源電圧の周期も一定に保たれる。このため、交流電源電圧が標準電圧より高くなると期間Ｔｉ１が短くなる。反対に、交流電源電圧が標準電圧より低くなると期間Ｔｉ１が長くなる。すなわち、交流電源電圧が位相検知基準電圧に達したときの交流電源電圧の位相は、交流電源電圧の大きさに依存する。
【００４０】
また、パルス信号がＨｉ出力である期間をＴｉ２、Ｌｏｗ出力である期間をＴｉ３とする。Ｔｉ２とＴｉ３との和は交流電源電圧の周期に等しい。上述したとおり、交流電源電圧の周期は一定に保たれるため、Ｔｉ２とＴｉ３との差も交流電源電圧の大きさに依存する。以下の説明では、期間Ｔｉ２とＴｉ３との差（Ｔｉ２−Ｔｉ３）÷２をクロック幅Ｗと称する。本実施形態では、推定部２１はクロック幅Ｗを用いて出力電圧値を推定する。
【００４１】
なお、交流電源電圧が位相検知基準電圧よりも高くなった際に、電圧位相検出回路８の出力波形がＬｏｗ出力となり、交流電源電圧が位相検知基準電圧よりも低くなった際に、電圧位相検出回路８の出力波形がＨｉ出力となってもよい。また、図４に記載した例では、位相検知基準電圧は正の電圧に設定されているが、回路の極性により、位相検知基準電圧が負の電圧に設定されていてもよい。
【００４２】
（クロック幅の推定）
図５は、フォトカプラ８ａの、温度計測部１２により計測される温度Ｔｅと、クロック幅Ｗとの関係について示すグラフである。図５において、横軸は温度Ｔｅであり、縦軸はクロック幅Ｗである。
【００４３】
図５においては、点Ｐ（１５，３１５）、点Ｑ（１５，９５０）、点Ｒ（７０，４１０）、および点Ｓ（７０，１２００）の４点を結ぶ台形ＰＱＳＲが描かれている。それぞれの点における座標は、以下の意義を有している。
【００４４】
点Ｐ：サーミスタで計測され得る温度の下限値が１５℃であり、当該温度の下限値において電源制御装置の部品特性から想定されるクロック幅の下限値が３１５である
点Ｑ：サーミスタで計測され得る温度の下限値が１５℃であり、当該温度の下限値において電源制御装置の部品特性から想定されるクロック幅の上限値が９５０である
点Ｒ：サーミスタで計測され得る温度の上限値が７０℃であり、当該温度の上限値において電源制御装置の部品特性から想定されるクロック幅の下限値が４１０である
点Ｓ：サーミスタで計測され得る温度の上限値が７０℃であり、当該温度の上限値において電源制御装置の部品特性から想定されるクロック幅の上限値が１２００である
電源装置５０においては、フォトカプラ８ａの温度特性の１つとして、上記の点ＰＱＲＳの座標値が記憶部３０に記憶されている。なお、点ＰＱＲおよびＳにおけるクロック幅の値は、上記の式（すなわち（Ｔｉ２−Ｔｉ３）÷２）により算出されるクロック幅の値に対して定数を加算したものである。また、サーミスタで計測され得る温度の下限値および上限値も、電源装置５０の設計者によって任意に設定されてよい。したがって、上述の点ＰＱＲＳにおける座標値はあくまで一例であり、これに限定されるものではない。
【００４５】
まず、推定部２１は、空気調和機１００の運転が開始される前に、温度計測部１２が計測した温度を基準温度Ｔｅ０として記憶部３０に記憶させる。また、推定部２１は、基準温度Ｔｅ０におけるクロック幅を算出し、基準クロック幅Ｗ０として記憶部３０に記憶させる。
【００４６】
次に、空気調和機１００の運転が開始された後、クロック幅がＷ１になり、温度計測部１２で温度Ｔｅ１が計測されたとする。このとき、推定部２１は、直線Ｔｅ＝Ｔｅ１と辺ＱＳとの交点をＡ１、直線Ｔｅ＝Ｔｅ１と辺ＰＲとの交点をＢ１とし、Ａ１およびＢ１の座標を算出する。さらに推定部２１は、点（Ｔｅ１、Ｗ１）と点Ａ１との間の距離と、点（Ｔｅ１、Ｗ１）と点Ｂ１との間の距離の比率を算出する。算出された距離の比率を、説明の便宜上ａ：ｂとして記載する。
【００４７】
続いて推定部２１は、直線Ｔｅ＝Ｔｅ０と辺ＱＳとの交点をＡ０、直線Ｔｅ＝Ｔｅ０と辺ＰＲとの交点をＢ０とし、Ａ０およびＢ０の座標を算出する。さらに推定部２１は、点（Ｔｅ０、Ｗ２）と点Ａ０との間の距離と、点（Ｔｅ０、Ｗ２）と点Ｂ０との間の距離の比率がａ：ｂとなるように、クロック幅Ｗ２の値を算出する。算出されたクロック幅Ｗ２は、フォトカプラ８ａの温度の影響が除去されたクロック幅である。クロック幅Ｗ２と基準クロック幅Ｗ０との差が所定の値以上である場合、出力電圧値に変動が生じていると考えられる。
【００４８】
なお、基準温度Ｔｅ０は、空気調和機１００の運転が開始される前に、温度計測部１２が計測した温度ではなく、予め設定された温度であってもよい。また、推定部２１は、点Ａ０およびＢ０の座標について、空気調和機１００の運転が開始される前に算出しておいてもよい。
【００４９】
（出力電圧値の推定）
図６は、電源電圧Ｖとクロック幅Ｗとの関係を示すグラフである。図６において、横軸は電源電圧Ｖであり、縦軸はクロック幅Ｗである。電源電圧Ｖとクロック幅Ｗとの関係には、フォトカプラ８ａの個体差によって差が生じる。図６には、３種類のサンプルについて、電源電圧Ｖとクロック幅Ｗとの関係が示されている。
【００５０】
本実施形態では、基準となる電源電圧を１８０Ｖとする。また、電源電圧が取り得る値の下限を１２０Ｖ、上限を２７０Ｖとする。電源装置５０の設計時に、設計者は、電源電圧が（ｉ）１２０Ｖ以上１８０Ｖ未満である場合、および（ｉｉ）１８０Ｖ以上２７０Ｖ以下である場合、のそれぞれについて、電源電圧とクロック幅との関係を一次式で近似する。したがって、電源電圧とクロック幅との関係は、図６に示すように、２つの一次式によって近似される。
【００５１】
近似式は、記憶部３０に格納される。推定部２１は、記憶部３０に格納された近似式に基づいて、クロック幅Ｗ２に対応する電圧を算出する。推定部２１が算出した電圧が、交流電源１の電源電圧であると推定される。
【００５２】
なお、電源電圧とクロック幅との関係は、任意の式で近似されてよい。例えば、電源電圧とクロック幅との関係は、３以上の一次式で近似されてもよく、１以上の二次式で近似されてもよい。
【００５３】
また、推定部２１による電源電圧の推定方法は、上記の例に限定されない。例えば推定部２１は、クロック幅ではなく、パルス出力がＨｉ出力である時間の幅を示すパルス幅に基づいて電源電圧を推定してもよい。すなわち、推定部２１は、（ｉ）交流電源１の出力電圧が変換されたパルス信号の、温度変化に対する変化特性（クロック幅またはパルス幅の変化特性など）、および（ｉｉ）温度計測部１２で計測された温度に基づき、交流電源１の出力電圧値を推定すればよい。
【００５４】
図７は、電源制御装置６０における電源制御方法を示すフローチャートである。電源制御装置６０においては、空気調和機１００の運転の開始前に、推定部２１が基準温度Ｔｅ０および基準クロック幅Ｗ０を記憶部３０に記憶させる（Ｓ１）。
【００５５】
空気調和機１００の運転の開始後、推定部２１は、フォトカプラ８ａの温度Ｔｅ１を計測する（Ｓ２、温度計測工程）。次に、推定部２１が、交流電源１の出力電圧が変換されたパルス信号を取得し、クロック幅Ｗ１を算出する（Ｓ３）。続けて、推定部２１は、（ｉ）ステップＳ３で算出したクロック幅Ｗ１、（ｉｉ）フォトカプラ８ａの温度変化に対するクロック幅Ｗの変化特性、および（ｉｉｉ）ステップＳ２で計測された温度Ｔｅ１、に基づき、基準温度Ｔｅ０におけるクロック幅Ｗ２を推定する（Ｓ４）。さらに推定部２１は、ステップＳ４において推定したクロック幅Ｗ２と基準クロック幅Ｗ０との差が所定の値以上であるか判定する（Ｓ５）。
【００５６】
クロック幅Ｗ２と基準クロック幅Ｗ０との差が所定の値以上である場合（Ｓ５でＹＥＳ）、推定部２１は、クロック幅Ｗ２に基づいて電源電圧を推定する（Ｓ６、推定工程）。さらに、ステップＳ６で推定された電源電圧の、基準電圧値に対する高低に応じて、短絡期間設定部２２が、交流電源１の短絡期間を設定する（Ｓ７、短絡期間設定工程）。ここでいう短絡期間の設定は、その前段階に該当する、目標電圧の設定を含む。その後、推定部２１は、所定の時間をおいて、ステップＳ２から処理を繰り返す。
【００５７】
一方、クロック幅Ｗ２と基準クロック幅Ｗ０との差が所定の値以上でない場合（Ｓ５でＮＯ）、推定部２１は、電源電圧の推定を行わない。この場合も、推定部２１は、所定の時間をおいて、ステップＳ２から処理を繰り返す。
【００５８】
（効果）
以上のとおり、本実施形態の電源制御装置６０によれば、制御回路１１に入力される、交流電源１の出力電圧を示す信号が、フォトカプラ８ａの温度の影響により変動していたとしても、温度計測部１２および推定部２１により、出力電圧値を推定できる。そして、短絡期間設定部２２により設定される交流電源１の短絡期間は、フォトカプラ８ａの温度変化による出力電圧値の変動に追従した適切な値となる。これにより、電源電圧値の変動に強い空気調和機１００を提供することができる。
【００５９】
〔実施形態２〕
本発明の別の実施形態について、以下に説明する。
【００６０】
図８は、本実施形態に係る電源装置５０Ａが備える制御回路１１Ａの構成を示す図である。電源装置５０Ａは、実施形態１で説明した電源装置５０と同様、空気調和機１００に搭載されている。図８に示すように、電源装置５０Ａは、制御回路１１の代わりに制御回路１１Ａを備える点で電源装置５０と相違する。制御回路１１Ａは、制御回路１１の構成に加えて、検出部２５と、判断部２６と、をさらに含む点で制御回路１１と相違する。
【００６１】
検出部２５は、空気調和機１００の室外ファン１１０が動作中か否かを検出する。判断部２６は、検出部２５の検出結果に基づき、温度計測部１２による温度計測の実行要否を判断する。具体的には、判断部２６は、室外ファン１１０が動作中であることを検出部２５が検出した場合に、温度計測部１２による温度計測を実行要と判断する。
【００６２】
室外ファン１１０が動作している状況においては、温度計測部１２と高温となる部品との間に空気が流れる。このため、高温となる部品が実際に高温となっていても、当該部品の温度が、室外ファン１１０が動作していない状況と比較して、温度計測部１２に伝播し難い状況となる。したがって、室外ファン１１０が動作している状況で温度計測部１２による温度計測を実行することで、フォトカプラ８ａの温度をより正確に計測することができる。
【００６３】
以上のとおり、制御回路１１Ａによれば、フォトカプラ８ａの温度をより正確に計測することで、電源電圧値をより正確に推定することができる。したがって、より電源電圧値の変動に強い空気調和機などを提供できる。
【００６４】
〔実施形態３〕
電源制御装置６０の制御ブロック（特に推定部２１および短絡期間設定部２２）は、集積回路（ＩＣチップ）等に形成された論理回路（ハードウェア）によって実現してもよいし、ソフトウェアによって実現してもよい。
【００６５】
後者の場合、電源制御装置６０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６７】
１  交流電源
８ａ  フォトカプラ（絶縁部）
１１、１１Ａ  制御回路
１２  温度計測部
２１  推定部
２２  短絡期間設定部
２５  検出部
２６  判断部
５０、５０Ａ  電源装置
６０  電源制御装置
１００  空気調和機
１１０  室外ファン
【図１】
2019176703.tif 000003
【図２】
2019176703.tif 000004
【図３】
2019176703.tif 000005
【図４】
2019176703.tif 000006
【図５】
2019176703.tif 000007
【図６】
2019176703.tif 000008
【図７】
2019176703.tif 000009
【図８】
2019176703.tif 000010